(57)【要約】本発明は容器（２）用の不正操作が明らかに分かる蓋（１）に関する。この容器には、上部容器開口部（３）の周囲を走るフランジ形成された開口縁部（４）が設けられる。この蓋片（５）は、上部容器開口部及び、蓋片から容器へ向かってほぼ下方へ延び、かつ少なくとも数箇所に、開口縁部の下方を把持し、及び容器から蓋を取り外すために特に蓋縁部の下側縁部分（８）と共に蓋から明確に分離できるロック部材（７）を備える蓋縁部を実質的に覆う。蓋縁部は蓋片から実質的に一定角度をなして下方かつ外側へ動き、ロック部材は蓋の円周方向へ動くロックエッジ（１０）として具現化されている。
2007537940.tif 000002
【特許請求の範囲】
【請求項１】
特にフランジが形成された開口縁部（４）が上部容器開口部（３）の周囲に走っている容器（２）用の、不正操作が明らかに分かる蓋（１）であって、上部容器開口部を実質的に覆う蓋片（５）と、蓋片（５）から容器（２）へ向かってほぼ下方へ延び、かつ少なくとも数箇所に、開口縁部（４）の下方を把持し、及び蓋を取り外す際に特に蓋縁部（６）の下側縁末端部分（８）と共に蓋（１）から明確に分離されることのできるロック部材（７）を含む蓋縁部（６）を有し、
蓋縁部（６）は蓋片（５）から実質的に一定角度をなして下方かつ外側へ走っており、ロック部材（７）は蓋（１）の円周方向（９）に走っているロックエッジ（１０）として作製されることを特徴とする蓋。
【請求項２】
蓋片（５）がほぼ平面であることを特徴とする請求項１項記載の蓋。
【請求項３】
蓋片（５）が、円周方向（９）を走り、かつ蓋片からほぼ垂直に上方へ突き出した縁フランジ（１１）を有して構成されることを特徴とする請求項１または２に記載の蓋。
【請求項４】
蓋縁部（６）が縁フランジ（１１）へ連結されることを特徴とする請求項１〜３のいずれかに記載の蓋。
【請求項５】
蓋縁部（６）にほぼ逆Ｕ字形の上側縁末端部分（１２）が含まれ、縁フランジ（１１）がＵ字形開口部（１３）中へ挿入されて、そこで固定されることを特徴とする請求項１〜４のいずれかに記載の蓋。
【請求項６】
蓋縁部（６）の上側縁末端部分（１２）とその下端部（１４）間に、それぞれ蓋片（５）から一定角度をなして外側へ離れるように延び、かつほぼ垂直な中間縁部分（１７）と接続された少なくとも１個の上側縁部分（１５）及び少なくとも１個の下側縁部分（１６）が含まれることを特徴とする請求項１〜５のいずれかに記載の蓋。
【請求項７】
蓋縁部（６）の下側縁部分（１６）と下端部（１４）との間にほぼ垂直に延びる下側縁末端部分（８）が含まれることを特徴とする請求項１〜６のいずれかに記載の蓋。
【請求項８】
中間縁部分（１７）及び下側縁末端部分（８）が、縁部分（１５、１６）の傾斜角よりも小さい傾斜角（１８，１９）で一定角度をなして外側へ延びていることを特徴とする請求項１〜７のいずれかに記載の蓋。
【請求項９】
縁部分（１５，１６）の傾斜角（２０，２１）及び／または中間縁部分及び縁末端部分（１７、１２、１８）の傾斜角がそれぞれ同一であることを特徴とする請求項１〜８のいずれかに記載の蓋。
【請求項１０】
少なくとも下側縁末端部分（１８）が外層（２２）及び内層（２３）から成る２層構造から成ることを特徴とする請求項１〜９のいずれかに記載の蓋。
【請求項１１】
ロックエッジ（４）を内層（２３）の延長部として作製されることを特徴とする請求項１〜１０のいずれかに記載の蓋。
【請求項１２】
内層（２３）が対応する傾斜角（２１）をなして下側縁部分（１６）にほぼ沿ってさらに延びていることを特徴とする請求項１〜１１のいずれかに記載の蓋。
【請求項１３】
蓋（１）が容器（２）上へ取り付けられた時に、ロックエッジ（１０）が本質的に容器壁（２４）の方へ下側縁部分（１６）の傾斜角と同一の傾斜角で上方へ延びることを特徴とする請求項１〜１２のいずれかに記載の蓋。
【請求項１４】
ロックエッジ（１０）を弾性を利用して放射状に外側へ反らすことができることを特徴とする請求項１〜１３のいずれかに記載の蓋。
【請求項１５】
ロックエッジ（１０）に、蓋（１）が取り付けられた時に容器壁（２４）に対してほぼ平行に延びる自由端（２５）に設けられた刃状の末端縁部（２６）が含まれることを特徴とする請求項１〜１４のいずれかに記載の蓋。
【請求項１６】
引裂き手段（２７）が蓋縁部（６）から突き出ていることを特徴とする請求項１〜１５のいずれかに記載の蓋。
【請求項１７】
引裂き手段（２７）の部域中、及び特に引裂き手段の引裂き方向（２９）に対して前端（２８）において、ほぼ垂直に延びる引裂き補助部分（３０）が蓋縁部（６）中に設けられることを特徴とする請求項１〜１６のいずれかに記載の蓋。
【請求項１８】
引裂き手段（３０）が材料弱化線（３１）として作製されることを特徴とする請求項１〜１７のいずれかに記載の蓋。
【請求項１９】
円周方向（９）に延びる縁分離補助部分（３２）が、蓋縁部の下端部（１４）から間隔を開けて離れた蓋縁部（６）中の引裂き補助部分（３０）に対してほぼ垂直に作製されることを特徴とする請求項１〜１８のいずれかに記載の蓋。
【請求項２０】
蓋（１）が容器（２）上へ取り付けられた際に、縁分離補助部分（３２）が容器（２）の開口縁部（４）よりも蓋縁部（６）の下端部（１４）へより近接して配置されることを特徴とする請求項１〜１９のいずれかに記載の蓋。
【請求項２１】
蓋（１）が実質的に１または数層の紙層（３８）から作製されることを特徴とする請求項１〜２０のいずれかに記載の蓋。
【請求項２２】
少なくとも蓋片（５）の部分において、液体密封性のプラスチック製薄片（３４）が蓋片の底面（３３）へ施されることを特徴とする請求項１〜２１のいずれかに記載の蓋。
【請求項２３】
蓋（１）が段積み可能、又は、段積み不可能であることを特徴とする請求項１〜２２のいずれかに記載の蓋。
【請求項２４】
蓋縁部（６）、特に下側縁部分の内径（３５）が少なくともその下端部（１４）において上側縁部分（１２）の外径（３６）よりも大きいことを特徴とする請求項１〜２３のいずれかに記載の蓋。
【請求項２５】
ロックエッジ（１０）が、蓋（１）が積み重ねられた時に外側から上側末端部分（１２）へ接する積重ね止め部材として作製されることを特徴とする請求項１〜２４のいずれかに記載の蓋。
【発明の詳細な説明】
【技術分野】
【０００１】
本発明は、特にフランジが形成された開口縁部が上部容器開口部の周囲に走っている容器用の、不正操作が明らかに分かる蓋であって、該上部容器開口部をほぼ覆う蓋片とフランジ形成された開口縁部と、前記蓋片から容器へ向かってほぼ下方へ走り、かつ少なくとも数箇所に、開口縁部の下方を把持し、また特に容器から蓋を取り外す際に特に蓋縁部の下側縁末端部分と共に蓋から明確に分離することができるロック部材を含む蓋縁部を備える容器蓋に関する。
【背景技術】
【０００２】
類似の容器蓋はＵＳ−Ａ−５００２１９８から公知である。開口縁部上へ対応する蓋片が上方から取り付けられ、この蓋片によって容器開口部が覆われる。この蓋片は該蓋片から垂直に下方へ延びる蓋縁部と連結される。蓋縁部は曲げられあるいはフランジに形成された容器縁部と実質的に接線に沿って接し、ロック部材は蓋縁部の自由端から突出し、かつ実質的に蓋縁部下方を把持する開口縁部の下方で止まっている。
【０００３】
不正操作あるいは蓋が開けられたことが明らかに分かるように容器から蓋が取り外されるようにするため、蓋縁部の一部及び特に下側縁末端部分がロック部材と共に分離されるように構成されている。この分離が為された後に蓋を容器から取り外すことが可能である。蓋の残存部分から縁末端部分がロック部材と共に分離されることにより、たとえ蓋がそのままあるいは再度取り付けられても、該蓋が既に別の使用者によって取り外されているか、あるいは少なくとも取り外そうとされたことが判別可能である。かかる構成により、容器を破り開けあるいは開けようとするいかなる操作あるいは試みも見破ることが可能である。上述した蓋を用いることにより、例えば対応容器が開封され、その内容物に何らかの添加が為され、あるいは部分的に抜き取られ、その後に外部から識別できる容器の開状態なしに再度閉じられることを防止することが可能である。
【０００４】
しかしながら、上記蓋の場合、ロック部材において操作が行われ、ロック部材が容器縁部をもはや把持しなくなり、さらに下側縁末端部分の明らかな分離なしに蓋を容器から取り外せるようになるまで、該ロック部材が放射状に外側へ弾性を利用して反らされる可能性がある。さらに、垂直に延びる蓋縁部は弾性を利用する場合僅かだけしか反らせることができないため、蓋を容器上へ取り付ける際、外側へ曲げられた開口縁部の部域においてロック部材を放射状に外側へ十分に反らせるためにロック部材には対応する高い弾性が付与されなければならない。ロック部材のこのような比較的高い自己弾性によってロック部材を外側へ容易に反らせることが可能となり、それによって蓋を容器から取り外すことが可能となることから、ロック部材の比較的高い弾性によってその部域において蓋を取り外す操作が可能となる。
【発明の開示】
【発明が解決しようとする課題】
【０００５】
従って、本発明は、簡単な構造によって蓋を取り外すために起こり得るロック部材の操作に関して安全が確保され、また他方において蓋の確実な閉じ機能が確保されるように改善された冒頭において述べたタイプの不正操作が明らかに分かる容器蓋を提供することを目的とする。
【課題を解決するための手段】
【０００６】
上記目的は特許請求の範囲の請求項１項に記載された特徴によって達成される。
【０００７】
本発明は、蓋片からほぼ下方及び外側へ一定角度をなして延びる蓋縁部及び蓋の円周方向へ動くロックエッジとして作製されたロック部材を備えることを特に特徴としている。
【０００８】
取り囲み型のロックエッジを用いることにより、ロックエッジと一定角度をなして延びる蓋縁部との間が横方向となってしまい、それによって例えばロックエッジが容器縁部下方におけるそれらの噛合いから外れるような可能性がなくなる。蓋縁部が一定角度をなして下方及び外側へ延びていることにより、蓋が取り付けられた際に蓋縁部も弾性によって反れるため、ロックエッジのみならず蓋縁部も蓋が取り付けられた時に弾性によって反らされるので、弾性は本質的にロック部材の部域だけに存在するわけではない。
【０００９】
また、一定角度をなして延びる蓋縁部を用いているので、容器から蓋を確実に取り外すには、蓋縁部を同時に操作することなしにロックエッジを実質的に垂直な配置とすることはできない。蓋縁部を一定角度をなして配置することにより、たとえ対応ロックエッジがその内側から蓋縁部へ若干接しても対応ロックエッジは蓋縁部に対して一定の傾き位置を有して保持されるので、ロックエッジを開口縁部を通り越して移動させ、何ら眼に見える痕跡なしに蓋を取り外すことは殆ど不可能である。
【００１０】
このように構成することにより、本発明に従った容器蓋の不正操作による形跡を簡略な方式でさらに明瞭化することができる。同時に、容器上への蓋の取り付けは、蓋縁部上及びロックエッジ上において弾性を分散させることにより、蓋の不正操作の形跡及び密閉性を減ずることなくさらに容易化される。
【００１１】
本発明に従って、前記対応蓋片は種々形状とすることが可能である。他方、開口縁部に沿った蓋片の幾何学的形状は容器開口部の形状と一致することが必要である。他方、開口縁部の外側において、前記蓋片をいずれか別の方法で容器内部の方へ湾曲、歪めあるいは変形させ、あるいは容器から離して対応的に変形させることが可能である。単純な蓋片は製造が容易であることから、実質的に平面形状である。蓋片は容器縁部上へ定位され、容器開口部の全体を覆うので、容器は外的影響から保護され、同時に容器内容物も密封される。
【００１２】
例えば、容器から蓋を取り外す際の蓋の取扱いを容易にするため、蓋片を、円周方向へ動きかつ上方へほぼ垂直に突出する縁フランジで構成することが可能である。
【００１３】
前記蓋縁部は、平面状蓋片あるいは縁フランジへ直接連結可能である。
【００１４】
縁フランジとの直接連結の単純な例では、蓋縁部は実質的に逆Ｕ字形状を呈した上側縁末端部分から成り、縁フランジはＵ字形開口部中へ挿入されてそこに固定される。このＵ字形開口部の深さは縁フランジの縦長と実質的に一致させることができる。かかる構成により、縁フランジは上側縁末端部分の対応するＵ字形脚部によって両側から把持され、そして例えば接着、熱シーリング、あるいは他の方法によってそれら脚部へ固定することが可能である。
【００１５】
蓋縁部は、その上端部から下端部まで一定角度をなして下方かつ外側へ均質に延ばすことが可能である。しかしながら、蓋の取り付け及び蓋縁部による同時シーリングを容易化あるいは改善するため、蓋縁部の上側縁末端部分とその下端部との間へ、それぞれ蓋片から離れるように一定角度で外側へ延び、次いでほぼ垂直な中間縁部分によって連結される上側縁部分及び下側縁部分をそれぞれ少なくとも１個設けることも可能である。この中間縁末端部分は特に外側からの開口縁部との接触部分として機能するため、たとえ縁末端部分が限定的に分離されても、蓋自体を容器上へ確実に定置させ、かつそこへ保持させることが可能である。
【００１６】
このように蓋縁部をほぼ段状に一定角度で延ばすことによって蓋に視感的に有利な外観が生じ、また蓋を容器上へより容易に把持させ及び取り付けることが可能となる。
【００１７】
又、既に述べた下側縁末端部分を蓋縁部の下側縁部分と下端部との間へほぼ垂直に延びるように設計することも可能である。かかる設計により、下側縁末端部分と容器壁との間の空間は、下側縁末端部分を一定角度で延ばす場合よりもさらに小さくなるため、操作可能空間はより狭くなる。
【００１８】
前記中間縁部分及び下側縁末端部分をほぼ垂直に延ばすことを、これら部分を一定角度をなして延ばすことに置換えることも可能であり、その場合、これら部分は上側及び下側縁部分よりも小さな傾斜角で外側へ延びる。
【００１９】
容器蓋の視感的外観及び製造に関し、上側及び下側縁部分の傾斜角と中間及び下側縁末端部分の傾斜角が同一であることが有利であるとさらに考えられる。
【００２０】
下側縁末端部分の安定化、及び同様にロックエッジの安定化は、少なくとも下側縁末端部分を２層、すなわち外層及び内層に作製することによって得ることが可能である。これにより、この下側縁末端部分の剛性が増大し、この剛性の増大によって容器蓋の取外し操作が複雑化する一方、ロックエッジが強化される効果がある。
【００２１】
簡単な実施態様において、ロックエッジを内層の延長として作製することも可能である。この場合、ロックエッジは、対応する開口縁部の下方を把持するため、容器の方へ内層の延長として単純に延びている。
【００２２】
ロックエッジは内層の延長として下側縁末端部分の部域中へ直接突き出していてもよい。しかしながら、この内層が下側縁部分へ少なくとも部分的に延び、またこの縁部分の対応傾斜角を利用して内層、従ってロックエッジが容器壁の方へ反れるようにすることも可能である。
【００２３】
この場合、蓋が取り付けられ、蓋によって開口縁部の下方が把持される際に下側縁部分が容器壁の方へ一定角度で上方へ延びるように、下側縁部分の傾斜角をロックエッジにおいても等しく存続させることが可能である。
【００２４】
本発明に従って、蓋縁部及びロックエッジを反らせ、及び容器上へ蓋を取り付けるために用いられる弾性が蓋縁部及びロックエッジへ分配されることは既に述べた。蓋を容器上へ取り付ける正にその時に、ロックエッジが放射状に外側へ弾性によって反れることは有利な特徴である。この特徴は、少なくとも下側縁部分あるいは下側縁末端部分から突き出ているロックエッジ部分に関連している。
【００２５】
ロックエッジの自由端と容器壁間の空間を可能な限り小さくし、同時にロックエッジの操作を複雑化するため、蓋が取り付けられた時に容器壁にほぼ平行して延びる切れ目から成る末端エッジをロックエッジの自由端へ設けることが可能である。この切れ目から成る末端エッジは、蓋を容器へ取り付けた時に容器壁へ直接接しても構わない。切れ目から成る末端エッジが対応的に延びることにより、開口縁部におけるロックエッジ自由端の拡がり及びその通り抜けが複雑化される。
【００２６】
容器蓋を開けるためには、下側縁末端部分及びロックエッジを蓋の他の部分から明確に分離することが必要である。かかる分離を簡略な方式で実施可能とするため、引裂手段を蓋縁部から突き出させることが可能である。また、２以上の引裂手段を取り付けることも可能である。引裂手段は、例えば蓋縁部からほぼ垂直に突き出させることができるので、該手段を蓋縁部の側部へ容易に把持させて蓋の対応部分の分離に用いることが可能である。さらに、引裂手段の下端を蓋縁部の延長部分まで延ばすことも可能である。
【００２７】
引裂手段を用いた下側縁末端部分における破断を安全かつ制御された方式で可能とするため、引裂手段部域中、特に引裂方向の前縁部分において、ほぼ垂直な引裂補助部分を蓋縁部中に作製することが可能である。次いで引裂手段を把持して引裂方向へ動かすと、まず蓋縁部が前記垂直な引裂補助部分に沿って破断され、次いでほぼ円周方向にある蓋縁部の対応部分がさらに分離される。
【００２８】
このような引裂補助部分は種々デザイン化が可能である。一般的に、引裂補助部分は材料を弱化させる線としてデザインされる。かかる材料弱化線は材料の薄化、孔あけ等によって形成させることができる。
【００２９】
簡略かつ制御された方式で蓋縁部の対応部分をさらに除去すると同時にこの部分の除去後に蓋の外観が劣悪化しないようにするため、円周方向へ延びる縁部引き剥がし補助部分を、その下端から一定間隔を開けて離れた蓋縁部中の引裂補助部分に対してほぼ垂直に形成させることが可能である。この縁引き剥がし補助部分は前記垂直な引裂補助部分と交差しているため、引裂手段が引裂方向へ引かれる際、引裂補助部分の破断に続いて蓋縁部の対応部分が縁引き剥がし補助部分に沿ってさらに分離される。
【００３０】
前記縁引き剥がし補助部分は、前記引裂補助部分と同様に、材料弱化線として作製可能である。
【００３１】
上記に関し、蓋縁部をそのように分離しても容器上への蓋の取付け及び蓋縁部を用いた開口縁部における蓋の保持を猶確実に可能とするため、蓋が容器へ取り付けられている時に縁引き剥がし補助部分が開口縁部よりも蓋縁部下端へより近づくように配置することが可能である。これにより、前記対応部分が引き剥がされた後においても、十分量の蓋縁部が前記保持のために残存して実質的に開口縁部上を下方へ延び、蓋の載せ戻しや容器への蓋の確実な取り付けが確保される。
【００３２】
本発明に係る容器蓋の材料としては種々材料を考えることができる。本発明による容器蓋はその全体あるいは一部をプラスチック材料で作製可能である。また、容器蓋の少なくとも一部は透明あるいは半透明とすることができる。このような構成は特に蓋片へ適用可能である。このように構成することにより、容器内容物を見ることが可能となる。実質的に１または２層以上の紙層から成る蓋は製造及びリサイクルの容易な蓋となり得る。また、このような紙層は宣伝目的あるいはカップ内容物を表示するための印刷が容易である。
【００３３】
蓋が取り付けられれば、蓋片によって容器中の内容物へ好ましくない物質が混入することが防止されるだけでなく、少なくとも蓋片部分で容器内容物の漏出も防止され、他方容器の底側に液体密封性プラスチック製薄片を処理することが可能である。このようなプラスチック製薄片を用いることにより、例えば容器中に液体が含まれている場合、蓋の紙層及び特に蓋片がその液体で濡れ、視覚的に影響を受けることを防止する付加的効果が得られる。
【００３４】
蓋あるいはその一部を紙層１層のみで作製せず、相互に結合された紙層、特に積層された紙層で作製することも勿論可能である。少なくとも下側縁末端部分の部分は２層構造に作製され、その内層によってロックエッジが形成されることは既に述べた通りである。この場合、前記内層に対応する層は紙層であってもよい。
【００３５】
容器を簡単に閉じられる方式で蓋を保管し、あるいは蓋の製造後の保管を可能とするため、蓋は段積み可能かつ段積み取り出し可能に作製可能である。
【００３６】
このような段積み適性及び段積み取り出し適性は、例えば蓋縁部の内径を少なくともその下端部分において上側縁末端部分の外径よりも大きくすることによって得ることが可能である。蓋の段積み適性を向上させる下側縁部分部域の下方となる下側縁末端部分に関し、内径と外径との間に対応関係があってもよい。
【００３７】
末端の積重ねが例えば対応自動装置によって折り重なるような蓋の積重ねが行われる場合に蓋が密着しないように、ロックエッジを外側、特に蓋が積み重ねられる場合は上方から下側縁末端部分へ接する積重ね止め部材として設計することが可能である。
【発明を実施するための最良の形態】
【００３８】
以下において、本発明について一実施態様を用いて添付図面を参照しながらより詳細に説明する。
【００３９】
図１はカップ状容器２上の本発明に従った容器蓋１の一実施態様の部分側断面図である。
【００４０】
他の図面に示されるように、容器２には外側へフランジ形成された開口縁部４によって囲まれた上部容器開口部３が設けられる。容器下端部は、容器２内部から底片が挿入されてそこに保持され、この底片は内向きに上方へ曲げられた容器壁２４の末端部分へ図示された方式で固定される。
【００４１】
蓋１は容器２の頂部へ据え付けられる。この蓋には密閉方式で上方から開口縁部４上へ置かれるカバー片５が含まれている。蓋１にはさらに、蓋片５から一定角度で下方かつ外側へ延びる蓋縁部６が設けられる。蓋縁部６は開口縁部４に沿って容器の周りを円周方向９に延びている。蓋縁部６、特にその下端部１４には引裂き手段２７が配備されている（図２と合わせて参照）。使用者はこの引裂き手段を握って引裂き方向２９に沿って容器２の周囲をほぼ円周方向９へ動かすことができる（図６ａ、６ｂ及び７を合わせて参照）。
【００４２】
引裂き手段２７を引裂き方向２９へ動かすと、蓋縁部６は引裂き手段２７の前端部分から引裂き方向２９へ破れ始める。この前端部分２８あるいは端部自体の延長部分に蓋縁部６中の材料弱化線３１として引裂き補助部分３０が形成されている。この補助部分は開口縁部４の方へほぼ垂直上方へ延びている。この引裂き補助部分３０に対して垂直に、縁部引き剥がし補助部分３２が円周方向９かつ引裂き方向２９へ延びている。この引き剥がし補助部分も材料弱化線として作製されている。
【００４３】
引裂き手段２７を引裂き方向２９へ動かすことにより、蓋縁部６の下側部分がロック部材７としてのロックエッジ１０と共に縁引き剥がし補助部分３２に沿って分離されることにより、蓋１を容器２から取り外すことが可能となる（図６ｂ及び７と合わせて参照）。
【００４４】
蓋１を取り外すために蓋縁部の対応部分が分離されることにより、蓋１を備える容器２が既に使用されたこと、あるいは容器２から蓋１を取り外そうとする試みが少なくとも１度為されたことが顕示される。このように開封を試みると元へ戻すことができず、また他の使用者によっても見破ることができるため、上記構成によって蓋が不正使用されたことが明らかに判別される。
【００４５】
図２には図１に示した部分Ｘの拡大詳細図が示されている。すべての図面において同一部分は常に同一符号で示されており、１つの図面については一部の部分しか説明されていない。
【００４６】
容器２には、その容器壁２４の上端において外側へフランジ形成された開口縁部４が設けられている。蓋１の蓋片５の底側は開口縁部の上側へ位置する。この開口縁部の部域において、蓋片５はほぼ垂直に上方へ延びる縁フランジ１１と成っている。この縁フランジとさらに底面３３に沿って、液体密封性のプラスチック製薄片３４が蓋片５へ施されている。蓋片５及び蓋１の前記薄片のない部分は１〜数層の紙層から成っている。紙層１層、特に積層によって接合された紙層２層に代えて、対応する１層または数層のボール紙層等を用いることも可能である。
【００４７】
蓋１の蓋縁部６は縁フランジ１１を介して蓋片５と連結されている。この蓋縁部６は蓋片５から一定角度で下方かつ外側へ延びている。
【００４８】
蓋縁部６には上側縁末端部分１２が含まれる。この上側縁末端部分はほぼ逆Ｕ字形状を呈している。縁フランジ１１は対応するＵ字形開口１３中へ挿入され、そこでＵ字形脚部間に固定される。
【００４９】
蓋縁部６は、上側縁末端部分１２に続き、上側縁部分１５、中間縁部分１７、下側縁部分１６及び下側縁末端部分８が含まれて構成されている。上側縁部分１５及び下側縁部分１６は容器２に対して一定傾斜角をなして外側へ延びている。中間縁部分１７及び下側縁末端部分８はより小さな角度をなして外側へ延びているが、ほぼ垂直に延びていてもよい（図４ａ〜７参照）。
【００５０】
蓋縁部６の対応縁部分１５、１７、１６及び８は、下端部１４へ向かってほぼ段状の延長を形成している。
【００５１】
上側縁部分１５、中間縁部分１７、下側縁部分１６及び下側縁末端部分８の対応傾斜角は図３中に示されている。符号１８、１９、２０及び２１を参照されたい。
【００５２】
上側縁部分１５及び下側縁部分１６の傾斜角２０及び２１は、中間縁部分１７及び下側縁末端部分８の傾斜角と同様に、図４ａ〜７に示すように、同一であってもよい。また別の実施態様においては、図３に示すように、傾斜角２０と傾斜角２１は異なり、特に傾斜角２１を傾斜角２０よりも大きくすることが可能である。
【００５３】
傾斜角の相違は、垂直線とそれに対応する縁部分の対応外側傾斜間の角度に起因している。
【００５４】
中間縁部分１７の部域中において開口縁部４の下方に縁引裂き補助部分３２が見える。この補助部分は、それから蓋縁部６の下端１４までの距離が開口縁部４の底面までの距離よりも短くなるように配置されている。かかる配置により、たとえ蓋縁部６の一部が縁引裂き補助部分３２に沿って分離されても蓋１は容器２上に取り付けられたままであり、それに応じて蓋は蓋縁部６の対応する内側との接合によって開口縁部４に保持されることが確保される。
【００５５】
下側縁末端部分８は実質的に外層２２及び内層２３の２層に作製される（図３も合わせて参照）。この２層構造は、外層の延長部分が外層の内側及び少なくとも下側縁末端部分８においては両層の対応接合部分へ内層として折り畳まれあるいは曲げられることによって生じている。その他の部分に関しては、内層２３は外層２２の延長である。内層２３は一定傾斜角２１をなして下側縁部分１６へ延び、さらに蓋片５へ向かって一定角度をなして内側かつ上方へ延びている。内層は下側縁部分１６に続いて蓋縁部６の他の部分から離れるように実質的に容器壁２４の方へ延び、そこでロック部材７としてのロックエッジ１０を形成している。ロックエッジ１０は容器２全体の周囲を円周方向に延びている。
【００５６】
ロックエッジ１０の自由端は開口縁部４の下方を把持し、蓋１が容器２上へ取り付けられている時には容器壁２４の外側へ近接して配置されるか、あるいは容器壁に接している。
【００５７】
図３にも示されているロックエッジ１０の自由端２５の容器壁２４外面における接触は、蓋１を容器２上へ一致するように取り付けた後、容器壁２４との接触によって自由端２５が開口縁部４の方へさらに反るように起こすことができ、これによって蓋１の不正操作の形跡をさらに明らかに示すことができる。この場合における前記反りは、自由端が開口縁部４と容器壁２４との間の隙間３９と少なくとも部分的に実質的に噛合っている限り起こすことが可能である。
【００５８】
蓋１が容器２上へ取り付けられる際、蓋縁部６は少なくとも下側縁末端部分８、下側縁部分１６及び中間縁部分１７、さらにロックエッジ１０と共に弾性によって外側へ放射状に拡げられるため、蓋縁部は開口縁部４に沿って動作可能である。自由端２５が開口縁部４の底側へ達するや否や、蓋縁部６及びロックエッジ１０の弾性によって自由端は容器壁２４の方へ、特にフランジ形成された開口縁部４と容器壁２４との間の隙間３９中へ押し付けられる。
【００５９】
図４ａ〜４ｃには容器２上へ蓋１が取り付けられる異なる段階が示されている。これらの段階において特にロックエッジの反りを理解することができる。
【００６０】
図４ａ〜４ｃに示された蓋１において、特に上側縁部分及び下側縁部分の傾斜角、さらに中間縁部分及び下側縁末端部分の傾斜角がそれぞれ同一であること、及び中間縁部分及び下側縁末端部分がほぼ垂直に延びていることが理解される。
さらに図４ａ〜４ｃには、上側縁末端部分１２の部域における蓋１外側の構造化が示されている。この構造化は円周方向９に配列された複数のぎざぎざ及び隆起のそれぞれによって形成されている。
【００６１】
図３には２つの蓋２の一方が他方上へ積み重ねられている状態が示されている。この詳細については他の図面及びそれら図面に対応した説明を参照しながら説明する。
【００６２】
図３において、特に下側縁末端部分８の内径３５が上側縁末端部分１２の外径３６よりも大きいことをさらに理解することができる。かかる構成により、少なくとも下側の蓋の上側縁末端部分１２が上側の蓋中へロックエッジ１０の底側まで挿入される限り２つの蓋２を積み重ねることが可能となる。少なくとも図３に従った実施態様においては、ロックエッジ１０は上方及び実質的に外側から下側の蓋２の上側縁末端部分８上に位置を占める積重ね止め手段３７を形成する。
【００６３】
図５に従った実施態様においては、下側縁末端部分８及び上側縁末端部分１２は実質的に垂直に延びているので、蓋はぴったりと適合するように一方が他方上へ積み重ねられ、また下側の蓋はその上側縁部分１５が上側の蓋の下端１４へほぼ接するまで上側の蓋中へ挿入される。
【００６４】
図６ａ及び６ｂ、さらに図７には、引裂き手段２７の別の実施態様が示されている。図６ｂでは、蓋縁部６の切離し可能部分が既に少なくとも部分的に切離されている。
【００６５】
図７はこれに類似した構成とされており、この実施態様においては引裂き手段２７は実質的に蓋縁部６の切離し部分として形成されておらず、引裂き線３０に近接して配置された蓋縁部６の一部として形成されている。
【００６６】
容器断面及び同時に蓋の対応形状に関して、これらの形状が円形、卵形、長円形、矩形等であってもよいことを指摘しなければならない。角のある実施態様の場合、縁部が丸められた形状が有利である。
【００６７】
さらに、蓋縁部６の弾性だけでなく対応するロックエッジ１０の弾性によっても、容器２上への蓋の据付けが可能なことを指摘しておかねばならない。通常、容器２は開口縁部４あるいは容器壁２４の部域のそれぞれにおいて少なくとも部分的に弾力性であるため、蓋が据え付けられる際に容器を弾性を利用して変形させることも可能である。
【００６８】
図４ａ〜７に従った実施態様において、ロックエッジ１０の対応傾斜角は上側傾斜縁部分１５及び下側傾斜縁部分１６の傾斜角２０、２１とほぼ同一であることが留意されなければならない。さらに、対応傾斜角２０及び２１もほぼ同一であり、他方他の縁部分１２、１７及び８は傾斜しておらず、これら部分はほぼ垂直に延びている。
【００６９】
図４ａ〜７に従った実施態様には、蓋片５が上側縁部分１５の下端まで放射状に外側へ延び、かつ開口縁部４の外側輪郭で止まっているさらに別の相違点がある。かかる構成により蓋片５による容器２の密封が向上される。さらに、蓋縁部６と開口縁部４との間に残る隙間はより小さくなる（例えば図２を図４ｃと比較して参照）。
【００７０】
図４ａ〜７に従った実施態様では、特にロックエッジ１０の自由端２５が容器壁と開口縁部４との間の隙間とどのように噛合うかが示されている。
【図面の簡単な説明】
【００７１】
【図１】容器上へ取り付けられた本発明に従った不正操作が明らかに分かる蓋の第一の実施態様の部分側断面図である。
【図２】図１における部分Ｘの詳細を示した拡大図である。
【図３】２個の蓋の一方が他方上へ積み重ねられている図２に類似する図である。
【図４ａ】蓋が容器上へ取り付けられる際の第一段階を示した図である。
【図４ｂ】蓋が容器上へ取り付けられる際の第二段階を示した図である。
【図４ｃ】図４ａ及び図４ｂに示した段階後における容器上に取り付けられた蓋を示した図である。
【図５】図３に類似する２個の蓋の一方が他方上へ積み重ねられた蓋の部分側断面図である。
【図６ａ】引裂き手段を備えた本発明に従った蓋の一実施態様の部分側断面図である。
【図６ｂ】図６ａに示した容器蓋の一部が引き裂かれて開かれた状態を示した図である。
【図７】別形状の引裂き手段を備えた本発明に従った容器蓋の別の実施態様を示した図である。
【図１】
2007537940.tif 000003
【図２】
2007537940.tif 000004
【図３】
2007537940.tif 000005
【図４ａ】
2007537940.tif 000006
【図４ｂ】
2007537940.tif 000007
【図４ｃ】
2007537940.tif 000008
【図５】
2007537940.tif 000009
【図６ａ】
2007537940.tif 000010
【図６ｂ】
2007537940.tif 000011
【図７】
2007537940.tif 000012
【国際調査報告】
2007537940.tif 000013
2007537940.tif 000014
2007537940.tif 000015
2007537940.tif 000016